(57)【要約】【課題】画素領域全体に亘ってフリンジ効果を発揮できるようにして表示開口面積を大きくしたＦＦＳモード等の液晶表示パネルを提供すること。【解決手段】平行に設けられた複数の走査線１２及びコモン配線１３と、走査線１２と直交する方向に設けられた複数の信号線１７と、複数の走査線１２及び信号線１７で区画された領域に形成された共通電極１４と、共通電極１４と絶縁膜を介して形成された画素電極２１と、画素電極２１に互いに平行に設けられた複数のスリット２０Ａと、が設けられており、前記共通電極１４と前記画素電極２１との間に生じる電界によって前記液晶層を駆動する液晶表示パネル１０Ａにおいて、画素電極２１のスリット２０Ａと平行な側の両端部は、平面視で共通電極１４が露出するようにスリット２０Ａと平行に切り欠かれた切り欠き部２０Ａ'を設けたことを特徴とする。【選択図】図１
2008065212.tif 000002
【特許請求の範囲】
【請求項１】
液晶層を挟持した一対の基板のうち、一方の基板上には平行に設けられた複数の走査線
及びコモン配線と、前記走査線と直交する方向に設けられた複数の信号線と、複数の前記
走査線及び信号線で区画された領域に形成された共通電極と、前記共通電極と絶縁膜を介
して形成された画素電極と、前記画素電極に互いに平行に設けられた複数のスリットと、
が設けられており、前記共通電極と前記画素電極との間に生じる電界によって前記液晶層
を駆動する液晶表示パネルにおいて、
前記画素電極の前記スリットと平行な側の端部は、平面視で前記共通電極が露出するよ
うに前記スリットと平行に切り欠かれた切り欠き部が設けられていることを特徴とする液
晶表示パネル。
【請求項２】
前記複数のスリットは一方端側が開いていることを特徴とする請求項１に記載の液晶表
示パネル。
【請求項３】
前記複数のスリットは、前記走査線又は信号線に対して傾いた方向に設けられているこ
とを特徴とする請求項１に記載の液晶表示パネル。
【請求項４】
前記コモン配線は前記複数の走査線間に設けられ、前記複数のスリットは前記コモン配
線の両側で互いに異なる方向に傾けて設けられていることを特徴とする請求項３に記載の
液晶表示パネル。
【請求項５】
前記コモン配線の両側に設けられたスリットの数はそれぞれの側で同一であることを特
徴とする請求項４に記載の液晶表示パネル。
【請求項６】
前記コモン配線に最も近接する両側のスリットの端部は前記コモン配線上で結合されて
いることを特徴とする請求項４又は５に記載の液晶表示パネル。
【請求項７】
前記複数のスリットは、奇数行と偶数行とでそれぞれ互いに反対方向に傾いていること
を特徴とする請求項２〜６のいずれかに記載の液晶表示パネル。
【請求項８】
前記信号線は、前記走査線と直交する方向にクランク状に設けられており、前記複数の
共通電極及び画素電極はデルタ配置されていることを特徴とする請求項１〜６のいずれか
に記載の液晶表示パネル。
【請求項９】
液晶層を挟持した一対の基板のうち、一方の基板上には平行に設けられた複数の走査線
及びコモン配線と、前記走査線と直交する方向に設けられた複数の信号線と、複数の前記
走査線及び信号線で区画された領域に形成された共通電極と、前記共通電極と絶縁膜を介
して形成された画素電極と、前記画素電極に互いに平行に設けられた複数のスリットと、
が設けられており、前記共通電極と前記画素電極との間に生じる電界によって前記液晶層
を駆動する液晶表示パネルにおいて、
前記画素電極の前記スリットと平行な側の端部は、隣接スリットの間の幅と同じだけの
幅を残して切り欠かれ、平面視で前記共通電極が露出していることを特徴とする液晶表示
パネル。
【発明の詳細な説明】
【技術分野】
【０００１】
本発明は、いわゆるフリンジ・フィールド・スィッチング（Fringe Field Switching：
以下、「ＦＦＳ」という。）モードと呼ばれているような、液晶層を挟持した一対の基板
のうち一方の基板に共通電極と、この共通電極と絶縁膜を介して形成された画素電極が備
えられ、共通電極と画素電極との間に生じる電界によって液晶層を駆動する液晶表示パネ
ルに関し、特に各画素の広い領域に亘ってフリンジ効果を発揮できるようにして表示開口
面積を大きくした液晶表示パネルに関する。
【背景技術】
【０００２】
近年、情報通信機器のみならず一般の電気機器においても液晶表示パネルが多く利用さ
れている。従来から多く用いられている液晶表示パネルは、表面に電極等が形成された一
対のガラス等からなる基板と、この一対の基板間に形成された液晶層と、からなり、両基
板上の電極に電圧が印加されることにより、液晶を再配列させて光の透過率を変えること
により種々の映像を表示する、言わば縦方向電界モードともいうべきものである。このよ
うな縦方向電界モードの液晶表示パネルは、ＴＮ（Twisted Nematic）モードやＶＡ（Ver
tical Alignment）モードのもの存在するが、視野角が狭いという問題点が存在するため
、ＭＶＡ（Multidomain Vertical Alignment）モード等種々の改良された縦方向電界モー
ドの液晶表示パネルが開発されている。
【０００３】
一方、上述の縦方向電界モードの液晶表示パネルとは異なり、一方の基板にのみ電極を
備えた横方向電界モードと言うべき液晶表示パネルも、ＩＰＳ（In-Plane Switching）モ
ードの液晶表示パネルとして知られている（下記特許文献１及び２参照）。ここでこのＩ
ＰＳモードの液晶表示パネルの動作原理を図６及び図７を用いて説明する。なお、図６は
ＩＰＳモードの液晶表示パネルの１画素分の模式平面図であり、図７は図６のＢ−Ｂ線に
沿った断面図である。
【０００４】
このＩＰＳモードの液晶表示パネル５０は、アレイ基板ＡＲとカラーフィルタ基板ＣＦ
とを備えている。アレイ基板ＡＲは、第１の透明基板５１の表面にそれぞれ平行に複数の
走査線５２及びコモン配線５３が設けられ、これら走査線５２及びコモン配線５３に直交
する方向に複数の信号線５４が設けられている。そして、各画素の中央部にコモン配線５
３から帯状に、図６においては例えば櫛歯状の対向電極５５が設けられ、この対向電極５
５の周囲を挟むように同じく櫛歯状の画素電極５６が設けられており、この画素電極５６
の表面は例えば窒化硅素からなる保護絶縁膜５７及びポリイミド等からなる配向膜５８に
よって被覆されている。
【０００５】
そして、走査線５２と信号線５４との交差点近傍にはスイッチング素子としてのＴＦＴ
（Thin Film Transistor：薄膜電界効果トランジスタ）が形成されている。このＴＦＴは
、走査線５２と信号線５４との間に半導体層５９が配置され、半導体層５９上の信号線部
分がＴＦＴのソース電極Ｓを構成し、半導体層５９の下部の走査線部分がゲート電極Ｇを
構成し、また、半導体層５９の一部分と重なる画素電極５６の部分がドレイン電極Ｄを構
成している。
【０００６】
また、カラーフィルタ基板ＣＦは、第二の透明基板６０の表面にカラーフィルタ層６１
、オーバーコート層６２及び配向膜６３が設けられた構成を有している。そして、アレイ
基板ＡＲの画素電極５６及び対向電極５５とカラーフィルタ基板ＣＦのカラーフィルタ層
６１側とが互いに対向するようにアレイ基板ＡＲ及びカラーフィルタ基板ＣＦを対向させ
、その間に液晶ＬＣを封入するとともに、両基板のそれぞれ外側に偏光板６４及び６５を
偏光方向が互いに直交する方向となるように配置することにより、ＩＰＳモードの液晶表
示パネル５０が形成される。
【０００７】
このＩＰＳモードの液晶表示パネル５０は、図７に示したように、画素電極５６と対向
電極５５との間に電界を形成すると、水平方向に配向していた液晶が水平方向に旋回する
ことによりバックライトからの入射光の透過量を制御することができるようになる。この
ＩＰＳモードの液晶表示パネル５０は、広視野角で、高コントラストであるという長所が
あるが、対向電極５５がコモン配線５３ないし走査線５２と同じ金属材料で形成されるた
めに開口率及び透過率が低く、又、視角による色変化があるという問題点が存在する。
【０００８】
このようなＩＰＳモードの液晶表示パネルの低開口率及び低透過率という問題点を解決
するために、いわゆる斜め電界方式ともいうべきＦＦＳモードの液晶表示パネルが開発さ
れている（下記特許文献３〜６参照）。このＦＦＳモードの液晶表示パネルの動作原理を
図８及び図９を用いて説明する。なお、図８はＦＦＳモードの液晶表示パネルの１画素分
の模式平面図であり、図９は図８のＣ−Ｃ線に沿った断面図である。
【０００９】
このＦＦＳモードの液晶表示パネル７０Ａは、アレイ基板ＡＲとカラーフィルタ基板Ｃ
Ｆとを備えている。アレイ基板ＡＲは、第１の透明基板７１の表面にそれぞれ平行に複数
の走査線７２及びコモン配線７３が設けられ、これら走査線７２及びコモン配線７３に直
交する方向に複数の信号線７４が設けられている。そして、走査線７２及び信号線７４で
区画された領域のそれぞれを覆うようにコモン配線７３に接続されたＩＴＯ（Indium Tin
Oxide）等からなる透明材料で形成された共通電極（「対向電極」ともいわれる）７５が
設けられ、この共通電極７５の表面にゲート絶縁膜７６を介してストライプ状に複数のス
リット７７Ａが形成されたＩＴＯ等の透明材料からなる画素電極７８Ａが設けられている
。そして、この画素電極７８Ａ及び複数のスリット７７Ａの表面は配向膜８０により被覆
されている。
【００１０】
そして、走査線７２と信号線７４との交差位置の近傍にはスイッチング素子としてのＴ
ＦＴが形成されている。このＴＦＴは、走査線７２の表面に半導体層７９が配置され、半
導体層７９の表面の一部を覆うように信号線７４の一部が延在されてＴＦＴのソース電極
Ｓを構成し、半導体層７９の下部の走査線部分がゲート電極Ｇを構成し、また、半導体層
７９の一部分と重なる画素電極７８Ａの部分がドレイン電極Ｄを構成している。
【００１１】
また、カラーフィルタ基板ＣＦは、第二の透明基板８２の表面にカラーフィルタ層８３
、オーバーコート層８４及び配向膜８５が設けられた構成を有している。そして、アレイ
基板ＡＲの画素電極７８Ａ及び共通電極７５とカラーフィルタ基板ＣＦのカラーフィルタ
層８３とが互いに対向するようにアレイ基板ＡＲ及びカラーフィルタ基板ＣＦを対向させ
、その間に液晶ＬＣを封入するとともに、両基板のそれぞれ外側に偏光板８６及び８７を
偏光方向が互いに直交する方向となるように配置することにより、ＦＦＳモードの液晶表
示パネル７０Ａが形成される。
【００１２】
このＦＦＳモードの液晶表示パネル７０Ａは、画素電極７８Ａと共通電極７５の間に電
界を形成すると、図９に示したように、この電界は画素電極７８Ａの両側で共通電極７５
に向かうため、スリット７７Ａに存在する液晶だけでなく画素電極７８Ａ上に存在する液
晶も動くことができる。そのため、ＦＦＳモードの液晶表示パネル７０Ａは、ＩＰＳモー
ドの液晶表示パネル５０よりも広視野角かつ高コントラストであり、更に高透過率である
ため明るい表示が可能となるという特徴を備えている。加えて、ＦＦＳモードの液晶表示
パネル７０Ａは、ＩＰＳモードの液晶表示パネル５０よりも平面視で画素電極７８Ａと共
通電極７５との重複面積が大きいためにより大きな保持容量が副次的に生じ、別途補助容
量線を設ける必要がなくなるという長所も存在する。
【００１３】
なお、ＦＦＳモードの液晶表示パネルにおいては、下記特許文献１に開示されているＩ
ＰＳモードの液晶表示パネルの場合と同様に、表示特性上、ラビング方向は信号線と直交
するのがよく、また画素電極とラビング方向とは微小角度の傾きを設けた方がよいことか
ら、図１０に示したＦＦＳモードの液晶表示パネル７０Ｂのように画素電極７８Ｂに設け
るストライプ状のスリット７７Ｂを走査線７２に対して傾いた構造とすることが行われて
おり、同じく、開口度を大きくして明るい表示が得られるようになすために、図１１に示
したＦＦＳモードの液晶表示パネル７０Ｃのように、画素電極７８Ｃに設けるスリット７
７Ｃとして一方端部に開放部分７７Ｃ'を設けることが行われており、また、視角によっ
て色変化が認められなくなるようにするため、図１２に示したＦＦＳモードの液晶表示パ
ネル７０Ｄのように、画素電極７８Ｄに設けるストライプ状のスリット７７Ｄを「く」字
状となるように配置してデュアルドメイン化することも、更には、図１３に示したＦＦＳ
モードの液晶表示パネル７０Ｅのように、信号線７４に対向する部分に設けられるカラー
フィルタ基板のブラックマトリクスが直線状とならないようにし、ブラックマトリクスが
目立たない画像表示に適したものとするために、信号線７４を走査線７２と直交する方向
にクランク状に設けて複数の共通電極７７Ｅ及び画素電極７８Ｅをデルタ配置とすること
も行われている。
【００１４】
なお、図１０〜図１２に示したＦＦＳモードの液晶表示パネル７０Ｂ〜７０Ｄは、図８
に示したＦＦＳモードの液晶表示パネル７０Ａとは画素電極７８Ｂ〜７８Ｄに設けるスリ
ット７７Ｂ〜７７Ｄの傾きないし形状が相違するのみであり、更に、図１３に示したＦＦ
Ｓモードの液晶表示パネル７０Ｅは、図８に示したＦＦＳモードの液晶表示パネル７０Ａ
とは画素電極７８Ｅに設けるスリット７７Ｅの傾き及び複数の共通電極７５Ｅ及び画素電
極７８Ｅをデルタ配置とした点が相違するのみであるので、図８に示したＦＦＳモードの
液晶表示パネル７０Ａと同一の構成部分については同一の参照符号を付与してその詳細な
説明は省略する。
【００１５】
なお、図１０〜図１３に示したＦＦＳモードの液晶表示パネル７０Ｂ〜７０Ｅにおいて
は、それぞれの画素毎に走査線に平行にコモン配線が設けられているが、このコモン配線
の位置は隣り合う走査線間であれば任意であるので、図示省略してある。また、図８〜図
１３に示したＦＦＳモードの液晶表示パネル７０Ａ〜７０Ｅにおいては、画素電極に設け
る複数のスリットをいずれも走査線に対して横方向に互いに平行になるように設けた例を
示したが、走査線に対して縦方向に互いに平行に設けることも行われている（図示せず）
。
【特許文献１】特開平１０−３１９３７１号公報（段落［０００５］、［００５３］、［００６５］〜［００７７］、図２、図５、図６）
【特許文献２】特開２００２−１３１７６７号公報（特許請求の範囲、段落［０００６］〜［０００９］、［００１８］〜［００７７］、図１、図３）
【特許文献３】特開２００２−  １４３６３号公報（特許請求の範囲、段落［０００２］〜［００１０］、［００１９］〜［００２６］、図１、図２）
【特許文献４】特開２００２−２４４１５８号公報（特許請求の範囲、段落［０００２］〜［００１３］、［００２３］〜［００３２］、図１〜図４）
【特許文献５】特開２００３−１９５３５２号公報（請求項１〜１０、段落［００１３］、［０１５３］〜［０１６４］、図１〜図３）
【特許文献６】特開２００５−３０９０５２号公報（特許請求の範囲、段落［００１２］〜［００４０］、図１〜図５）
【発明の開示】
【発明が解決しようとする課題】
【００１６】
上述のように、ＦＦＳモードの液晶表示パネルは、ＩＰＳモードの液晶表示パネルより
も広視野角かつ高コントラストであるとともに、高透過率であるため明るい表示が可能と
なり、更に低電圧駆動ができるとともにより大きな保持容量が副次的に生じるために別途
補助容量線を設けなくても表示画質が良好となるという特徴を備えている。
【００１７】
このようなＦＦＳモードの液晶表示パネルにおいては、スリットの長辺に実質的に直交
する方向を主とする横電界が生じており、光透過状態に駆動されているときは画素電極の
スリット部分及びこのスリットに平行な画素電極部分がともに線状に光を透過する状態と
なり、あたかも画素電極のスリット部分及びこのスリットに平行な画素電極部分がともに
線状に発光した状態に見えるようになる。
【００１８】
そして、従来のＦＦＳモードの液晶表示パネルにおいては、画素電極にスリットが走査
線に対して横方向に互いに平行になるように設けられている場合、例えば図１０に示した
ＦＦＳモードの液晶表示パネル７０Ｂの場合においては、スリット７７Ｂが形成された画
素電極７８Ｂの走査線７２に沿った両端部分ＸないしＸ'は面積の関係から他の部分と同
様の形状のスリットを形成できないため、特に表示領域として使用されることなく、表示
に影響を与えることがないよう、カラーフィルタ基板に設けられたブラックマトリクスに
よって遮光するようになされていた。
【００１９】
すなわち、ＦＦＳモードの液晶表示パネルにおいては、特に正常にフリンジ効果を発揮
することができない部分からの光漏れを防止してコントラストを向上させるために、それ
ぞれの画素の周辺をブラックマトリクスで遮光することが普通に行われていた。このこと
は、図１０に示したＦＦＳモードの液晶表示パネル７０Ｂの場合だけでなく、図１１〜図
１３に示したＦＦＳモードの液晶表示パネル７０Ｃ〜７０Ｅにおいても同様である。この
ように、ＦＦＳモードの液晶表示パネルにおける各画素の周辺をブラックマトリクスで遮
光する部分の面積が大きくなると、高透過率であるため明るい表示が可能であるというＦ
ＦＳモードの液晶表示パネルの利点を十分に生かし切れていないことになる。
【００２０】
発明者等は、従来のＦＦＳモードの液晶表示パネルにおいて、特にブラックマトリクス
による遮光部分を減少させ、更に開口率を大きくしてより明るいＦＦＳモードの液晶表示
パネルを得るべく種々実験を重ねた結果、従来表示領域として利用されていなかった画素
電極の周辺部をスリットと平行となるように切り欠いて平面視で共通電極を露出させると
、この画素電極を切り欠いた部分がスリットと同様のフリンジ効果を発揮することができ
るため、各画素の広い領域に亘ってフリンジ効果を発揮できるようになることを見出し、
本発明を完成するに至ったのである。
【００２１】
すなわち、本発明は、各画素の広い領域に亘ってフリンジ効果を発揮できるようにして
表示開口面積を大きくした液晶表示パネルを提供することを目的とする。
【課題を解決するための手段】
【００２２】
上記目的を達成するため、本発明の液晶表示パネルは、液晶層を挟持した一対の基板の
うち、一方の基板上には平行に設けられた複数の走査線及びコモン配線と、前記走査線と
直交する方向に設けられた複数の信号線と、複数の前記走査線及び信号線で区画された領
域に形成された共通電極と、前記共通電極と絶縁膜を介して形成された画素電極と、前記
画素電極に互いに平行に設けられた複数のスリットと、が設けられており、前記共通電極
と前記画素電極との間に生じる電界によって前記液晶層を駆動する液晶表示パネルにおい
て、前記画素電極の前記スリットと平行な側の端部は、平面視で前記共通電極が露出する
ように前記スリットと平行に切り欠かれた切り欠き部が設けられていることを特徴とする
。
【００２３】
また、本発明は、上記液晶表示パネルにおいて、前記複数のスリットは一方端側が開い
ていることを特徴とする。
【００２４】
また、本発明は、上記液晶表示パネルにおいて、前記複数のスリットは、前記走査線又
は信号線に対して傾いた方向に設けられていることを特徴とする。
【００２５】
また、本発明は、上記液晶表示パネルにおいて、前記コモン配線は前記複数の走査線間
に設けられ、前記複数のスリットは前記コモン配線の両側で互いに異なる方向に傾けて設
けられていることを特徴とする。
【００２６】
また、本発明は、上記液晶表示パネルにおいて、前記コモン配線の両側に設けられたス
リットの数はそれぞれの側で同一であることを特徴とする。
【００２７】
また、本発明は、上記液晶表示パネルにおいて、前記コモン配線に最も近接する両側の
スリットの端部は前記コモン配線上で結合されていることを特徴とする。
【００２８】
また、本発明は、上記液晶表示パネルにおいて、前記複数のスリットは、奇数行と偶数
行とでそれぞれ互いに反対方向に傾いていることを特徴とする
【００２９】
また、本発明は、上記液晶表示パネルにおいて、前記信号線は、前記走査線と直交する
方向にクランク状に設けられており、前記複数の共通電極及び画素電極はデルタ配置され
ていることを特徴とする。
【００３０】
また、本発明は、上記液晶表示パネルにおいて、液晶層を挟持した一対の基板のうち、
一方の基板上には平行に設けられた複数の走査線及びコモン配線と、前記走査線と直交す
る方向に設けられた複数の信号線と、複数の前記走査線及び信号線で区画された領域に形
成された共通電極と、前記共通電極と絶縁膜を介して形成された画素電極と、前記画素電
極に互いに平行に設けられた複数のスリットと、が設けられており、前記共通電極と前記
画素電極との間に生じる電界によって前記液晶層を駆動する液晶表示パネルにおいて、前
記画素電極の前記スリットと平行な側の端部は、隣接スリットの間の幅と同じだけの幅を
残して切り欠かれ、平面視で前記共通電極が露出していることを特徴とする。
【発明の効果】
【００３１】
本発明は、上記のような構成を備えることにより、以下に述べるような優れた効果を奏
する。すなわち、本発明の液晶表示パネルによれば、画素電極のスリットと平行な側の両
端部を平面視で共通電極が露出するようにスリットと平行に切り欠いた切り欠き部を設け
たため、画素電極と共通電極の露出部との間にも電界が発生して液晶分子の配向が規制さ
れるので、従来表示領域として利用されていなかった画素電極の周辺部にスリットと同様
のフリンジ効果を発揮させることができ、各画素の広い領域に亘ってフリンジ効果を発揮
できるようになる。そのため、表示開口率が大きく、明るい表示の液晶表示パネルが得ら
れるようになる。
【００３２】
また、本発明の液晶表示パネルによれば、スリットを一方端側が開いているものとした
ため、このスリットが開いた一方側の端部にまでフリンジ効果を発揮させることができる
ため、スリットの両端側が閉じている液晶表示パネルと比すると表示開口率が大きく、明
るい表示の液晶表示パネルが得られるようになる。
【００３３】
また、本発明の液晶表示パネルによれば、複数のスリットを走査線又は信号線に対して
傾いた方向に設けるようにしたため、画素電極と配向膜のラビング方向との間に微小角度
の傾きを形成することができるから、前記の本発明の効果を奏しながらもコントラスト等
の表示特性が良好な液晶表示パネルが得られる。
【００３４】
また、本発明の液晶表示パネルによれば、コモン配線を複数の走査線間に設けるととも
に、液晶表示パネルの複数のスリットをコモン配線の両側で互いに異なる方向に傾けてデ
ュアルドメイン化したため、視角によって色変化が認められ難くなるので、前記の本発明
の効果を奏しながらも表示特性が良好な液晶表示パネルが得られる。加えて、コモン配線
は通常は走査線と同材質の導電性材料から作製されるために不透明であるが、両ドメイン
間に生じるディスクリネーション部分を不透明な走査線によって遮光することができるの
で、より表示特性が良好な液晶表示パネルが得られる。
【００３５】
また、本発明の液晶表示パネルによれば、最もコモン配線に近接する両側のスリットの
端部をコモン配線上で結合したため、このコモン配線によって互いに異なる方向に傾いた
スリット同志が隣り合う位置で発生するディスクリネーション部分を小さくできるので、
前記の本発明の効果を奏しながらもより表示特性が良好な液晶表示パネルが得られる。
【００３６】
また、本発明の液晶表示パネルによれば、コモン配線の両側に設けられたスリットの数
をそれぞれの側で同一としたため、コモン配線を挟んで両側からの視角によって色変化が
認められ難くなるので、前記の本発明の効果を奏しながらも表示特性が良好な液晶表示パ
ネルが得られる。
【００３７】
また、本発明の液晶表示パネルによれば、前記複数のスリットを奇数行と偶数行とでそ
れぞれ互いに反対方向に傾いているものとしたため、信号線と交差する方向から見た場合
の視角依存性が減少するので、前記の本発明の効果を奏しながらも表示特性が良好な液晶
表示パネルが得られる。
【００３８】
また、本発明の液晶表示パネルによれば、信号線を走査線と直交する方向にクランク状
に設けて複数の共通電極及び画素電極をデルタ配置（トライアングル配置ということもあ
る）としたため、信号線に対向する部分に設けられるブラックマトリクスが直線状となら
ないために目立たず、前記の本発明の効果を奏しながらも画像表示に適した液晶表示パネ
ルが得られる。
【発明を実施するための最良の形態】
【００３９】
以下、図面を参照して本発明の最良の実施形態を説明する。但し、以下に示す実施形態
は、本発明の技術思想を具体化するための液晶表示パネルを例示するものであって、本発
明をこの液晶表示パネルに特定することを意図するものではなく、特許請求の範囲に含ま
れるその他の実施形態のものにも等しく適応し得るものである。
【実施例１】
【００４０】
実施例１の液晶表示パネルは、液晶層を挟持した一対の基板のうち一方の基板に共通電
極と共通電極上に形成された絶縁膜と絶縁膜上に形成された画素電極とが備えられ、共通
電極と画素電極との間に生じる電界によって液晶層を駆動する液晶表示パネルであり、こ
れはいわゆるＦＦＳモードと呼ばれる液晶表示パネルである。この実施例１のＦＦＳモー
ドの液晶表示パネル１０Ａを製造工程順に図１及び図２を用いて説明する。なお、図１は
実施例１のＦＦＳモードの液晶表示パネルのカラーフィルタ基板及び配向膜を透視して表
した１画素分の概略平面図であり、図２は図１のＡ−Ａ線に沿った断面図である。
【００４１】
この実施例１のＦＦＳモードの液晶表示パネル１０Ａは図１０に示した従来例のＦＦＳ
モードの液晶表示パネル７０Ｂに対応するものである。すなわち、この実施例１のＦＦＳ
モードの液晶表示パネル１０Ａのアレイ基板ＡＲは、ガラス基板等の透明基板１１の表面
全体に亘って下部がＡｌ金属からなり表面がＭｏ金属からなる２層膜を形成した後、フォ
トリソグラフィー法及びエッチング法によってＭｏ／Ａｌの２層配線からなる複数の走査
線１２及び複数のコモン配線１３を互いに平行になるように形成している。アルミニウム
は抵抗値が小さいという長所を持っているが、その反面、腐食しやすい、ＩＴＯとの接触
抵抗が高いなどの欠点があるため、アルミニウムをモリブデンで覆った多層構造にするこ
とでそうした欠点を改善できる。なお、ここではコモン配線１３を走査線を隣り合う走査
線１２の中間部に設けた例を示したが、このコモン配線１３の位置は隣り合う走査線１２
間であれば任意である。
【００４２】
次いで、走査線１２及びコモン配線１３を形成した透明基板１１の表面全体に亘って例
えばＩＴＯからなる透明導電性層を被覆し、同じくフォトリソグラフィー法及びエッチン
グ法によって共通電極１４を形成する。この共通電極１４はコモン配線１３とは電気的に
接続されているが、走査線１２ないしゲート電極Ｇとは接続されていない。更に、この表
面全体に窒化硅素層ないしは酸化硅素層からなるゲート絶縁膜１５を被覆し、次いで、Ｃ
ＶＤ法によりたとえばアモルファス・シリコン（以下「ａ−Ｓｉ」という。）層をゲート
絶縁膜１５の表面全体に亘って被覆した後に、同じくフォトリソグラフィー法及びエッチ
ング法によって、ＴＦＴ形成領域にａ−Ｓｉ層からなる半導体層１６を形成する。この半
導体層１６が形成されている位置の走査線１２の領域がＴＦＴのゲート電極Ｇを形成する
。
【００４３】
次いで、Ｍｏ／Ａｌ／Ｍｏの３層構造の導電性層を半導体層１６を形成した透明基板１
１の表面全体に亘って被覆し、同じくフォトリソグラフィー法及びエッチング法によって
、信号線１７及びドレイン電極Ｄを形成する。この信号線１７のソース電極Ｓ部分及びド
レイン電極Ｄ部分は、いずれも半導体層１６の表面に部分的に重なっている。更に、この
基板の表面全体に窒化硅素層からなる絶縁膜１８を被覆する。
【００４４】
次いで、ドレイン電極Ｄに対応する位置の絶縁膜１８にコンタクトホール１９を形成し
てドレイン電極Ｄの一部を露出させる。更に、この表面全体に亘って例えばＩＴＯからな
る透明導電性層を被覆し、同じくフォトリソグラフィー法及びエッチング法によって、図
１に示したパターンとなるように、走査線１２及び信号線１７で囲まれた領域の絶縁膜１
８上に走査線１２と同じ方向に延びるスリット２０Ａを有する画素電極２１を形成すると
ともに、画素電極２１のスリット２０Ａと平行な側の両端部を平面視で共通電極１４が露
出するようにスリット２０Ａと平行に切り欠いた切り欠き部２０Ａ'を形成する。なお、
この画素電極２１はコンタクトホール１９を介してドレイン電極Ｄと電気的に接続されて
いる。
【００４５】
更に、この表面全体に亘って所定の配向膜２４を形成することによりアレイ基板ＡＲが
完成される。そして、このようにして製造されたアレイ基板ＡＲと別途製造されたカラー
フィルタ基板とを対向させ、周囲をシール材でシールして両基板間に液晶を注入すること
により実施例１に係るＦＦＳモードの液晶表示パネル１０Ａが得られる。なお、カラーフ
ィルタ基板の構成は上述した従来例のものと実質的に差異はないので、その詳細な説明は
省略する。
【００４６】
このようにして得られた実施例１のＦＦＳモードの液晶表示パネル１０Ａは、画素電極
２１のスリット２０Ａと平行な側の両端部を平面視で共通電極１４が露出するようにスリ
ットと平行に切り欠いた切り欠き部２０Ａ'を形成したため、この切り欠き部２０Ａ'の形
成部分においても画素電極２１と共通電極１４の露出部との間に電界が発生して液晶分子
の配向が規制されるので、フリンジ効果を発揮させることがでるようになる。この画素電
極２１の切り欠き部２０Ａ'は、例えば、スリット２０Ａが形成されているピッチ、つま
り隣接するスリット２０Ａの間の幅と略同じだけの幅を残して形成されている。したがっ
て画素電極２１の両端部では少なくとも隣接するスリット２０Ａの間の幅の分だけが残さ
れていることになる。なお、図１のＴＦＴ近傍に示してあるように、画素電極２１の形状
によっては、スリット２０Ａの幅よりも小さくなっている部分が切り欠き部２０Ａ'にあ
ってもよい。
【００４７】
したがって、従来は表示領域として使用せずにカラーフィルタ基板に設けたブラックマ
トリクスで遮光していた部分をも表示領域として使用できるようになるため、カラーフィ
ルタ基板に設けるブラックマトリクスのサイズを小さくでき、表示開口率が大きく、明る
い表示のＦＦＳモードの液晶表示パネルが得られるようになる。なお、実施例１の液晶表
示パネルでは、共通電極上に形成された絶縁膜とこの絶縁膜上に形成された画素電極とが
備えられたＦＦＳモードの液晶表示パネルについて説明したが、これとは逆に画素電極上
に形成された絶縁膜とこの絶縁膜上に形成された共通電極とが備えられたＦＦＳモードの
液晶表示パネルでもよい。
【実施例２】
【００４８】
次に実施例２のＦＦＳモードの液晶表示パネル１０Ｂを図３を用いて説明する。なお、
図３は実施例２のＦＦＳモードの液晶表示パネルのカラーフィルタ基板及び配向膜を透視
して表した１画素分の概略平面図である。なお、図３においては図１及び図２に示した実
施例１のＦＦＳモードの液晶表示パネル１０Ａと同一の構成部分については同一の参照符
号を付与してその詳細な説明は省略する。
【００４９】
この実施例２のＦＦＳモードの液晶表示パネル１０Ｂは図１１に示した従来例のＦＦＳ
モードの液晶表示パネル７０Ｃに対応するものである。すなわち、この実施例２のＦＦＳ
モードの液晶表示パネル１０Ｂが実施例１の液晶表示パネル１０Ａと構成が相違する点は
画素電極２１の表面に設けるスリット２０Ｂとして一方端側２０Ｂ"が開いているものと
した点であり、更に、従来例のＦＦＳモードの液晶表示パネル７０Ｃとの構成の差異は、
画素電極２１のスリット２０Ｂと平行な側の両端部を平面視で共通電極１４が露出するよ
うにスリット２０Ｂと平行に切り欠いた切り欠き部２０Ｂ'を形成した点である。
【００５０】
このようにして得られた実施例２のＦＦＳモードの液晶表示パネル１０Ｂは、画素電極
２１のスリット２０Ｂと平行な側の両端部を平面視で共通電極１４が露出するようにスリ
ットと平行に切り欠いた切り欠き部２０Ｂ'を形成したため、この切り欠き部２０Ｂ'の形
成部分においても、画素電極２１と共通電極１４の露出部との間に電界が発生して液晶分
子の配向が規制されるので、フリンジ効果を発揮させることがでるようになる。
【００５１】
加えて、実施例２のＦＦＳモードの液晶表示パネル１０Ｂのように、スリット２０の一
方端側２０Ｂ"が開いた状態とすると、開いた側の端部にまでフリンジ効果を発揮させる
ことができるようになる。スリットの端部が閉じていると、この閉じている部分の近傍で
は、液晶分子の配向が乱れてディスクリネーションが発生するため、通常はカラーフィル
タ基板に設けたブラックマトリクスにより遮光するようにしている。しかしながら、実施
例２のＦＦＳモードの液晶表示パネル１０Ｂでは、スリット２０の一方端側２０Ｂ"のス
リットが開いている部分における液晶の配向の乱れが少ないため、ブラックマトリクスに
よって遮光しなければならない部分の面積が減少するので、実施例１のＦＦＳモードの液
晶表示パネル１０Ａよりも表示開口率が大きくなり、明るい表示のＦＦＳモードの液晶表
示パネルが得られるようになる。
【実施例３】
【００５２】
次に実施例３のＦＦＳモードの液晶表示パネル１０Ｃを図４を用いて説明する。なお、
図４は実施例３のＦＦＳモードの液晶表示パネルのカラーフィルタ基板及び配向膜を透視
して表した１画素分の概略平面図である。なお、図４においては図１及び図２に示した実
施例１のＦＦＳモードの液晶表示パネル１０Ａと同一の構成部分については同一の参照符
号を付与してその詳細な説明は省略する。
【００５３】
この実施例３のＦＦＳモードの液晶表示パネル１０Ｃは図１２に示した従来例のＦＦＳ
モードの液晶表示パネル７０Ｄに対応するものである。すなわち、この実施例３のＦＦＳ
モードの液晶表示パネル１０Ｄが実施例１の液晶表示パネル１０Ａと構成が相違する点は
、画素電極２１に設けられた複数のスリット２０Ｃは、隣り合う走査線１２の間に設けら
れたコモン配線１３に対してそれぞれの側で対称となるように異なる方向に傾いた状態に
設けられている点であり、更に、従来例のＦＦＳモードの液晶表示パネル７０Ｄとの構成
の差異は、画素電極２１のスリット２０Ｃと平行な側の両端部を平面視で共通電極１４が
露出するようにスリット２０Ｃと平行に切り欠いた切り欠き部２０Ｃ'を形成した点であ
る。
【００５４】
このようにして得られた実施例３のＦＦＳモードの液晶表示パネル１０Ｃは、画素電極
２１のスリット２０Ｃと平行な側の両端部を平面視で共通電極１４が露出するようにスリ
ットと平行に切り欠いた切り欠き部２０Ｃ'を形成したため、この切り欠き部２０Ｃ'の形
成部分においても、画素電極２１と共通電極１４の露出部との間に電界が発生して液晶分
子の配向が規制されるので、フリンジ効果を発揮させることがでるようになる。
【００５５】
したがって、従来は表示領域として使用せずにカラーフィルタ基板に設けたブラックマ
トリクスで遮光した部分をも表示領域として使用できるようになるため、カラーフィルタ
基板に設けるブラックマトリクスのサイズを小さくでき、表示開口率が大きく、明るい表
示のＦＦＳモードの液晶表示パネルが得られるようになる。
【００５６】
加えて、実施例３のＦＦＳモードの液晶表示パネル１０Ｃにおいては、コモン配線１３
の両側に位置するスリット２０Ｃの数は、ぞれぞれの側で同一の本数となるように設けら
れている。従って、この実施例３に係るＦＦＳモードの液晶表示パネル１０Ｃにおける全
ての画素の画素電極は、各画素単位でコモン配線１３に対して垂直方向に対称性を備えて
いるため、コモン配線１３に直交する方向には表示画質に視角依存性が少なくなる。なお
、コモン配線１３両側に設けられるスリット２０Ｃの本数は、互いに異なっていてもよい
が、あえて異なるようにすることの利点はないので、視角対称性を確保するために同一の
本数ずつ設けることが好ましい。
【００５７】
また、この実施例３に係るＦＦＳモードの液晶表示パネル１０Ｃにおいては、コモン配
線１３は走査線１２と同材質のＭｏ／Ａｌの２層配線からなるため、遮光性である。そし
てコモン配線１３に最も近接する両側のスリットの端部は、コモン配線１３の上部で結合
されて「く」字状とされている。このコモン配線１３に最も近接する両側のスリットは、
それぞれ傾斜方向が異なるためにコモン配線１３を起点として液晶分子の配向方向が異な
る状態となるので、コモン配線１３に沿ってディスクリネーションが発生するが、このデ
ィクリネーション発生部分はコモン配線１３によって遮光されている。そのため、発生し
たディスクリネーションは外部から視認し難くなるため、表示画質が向上する。
【実施例４】
【００５８】
次に実施例４のＦＦＳモードの液晶表示パネル１０Ｄを図５を用いて説明する。なお、
図５は実施例４のＦＦＳモードの液晶表示パネルのカラーフィルタ基板及び配向膜を透視
して表した１画素分の概略平面図である。なお、図５においては図１及び図２に示した実
施例１のＦＦＳモードの液晶表示パネル１０Ａと同一の構成部分については同一の参照符
号を付与してその詳細な説明は省略する。
【００５９】
この実施例４のＦＦＳモードの液晶表示パネル１０Ｄは図１３に示した従来例のＦＦＳ
モードの液晶表示パネル７０Ｅに対応するものである。すなわち、この実施例４のＦＦＳ
モードの液晶表示パネル１０Ｄが実施例１のＦＦＳモードの液晶表示パネル１０Ａと構成
が相違する点は、各画素が行毎に互い違いとなるようにデルタ配置とした点であり、各画
素電極２１に設けたスリット２０Ｄの構成及び画素電極２１のスリット２０Ｄと平行な側
の両端部を平面視で共通電極１４が露出するようにスリット２０Ｄと平行に切り欠いた切
り欠き部２０Ｄ'を形成する点は実施例１のＦＦＳモードの液晶表示パネル１０Ａの場合
と同様である。
【００６０】
この実施例４のＦＦＳモードの液晶表示パネル１０Ｄにおいては、実施例１のＦＦＳモ
ードの液晶表示パネル１０Ａの場合と同様に、画素電極２１のスリット２０Ｄと平行な側
の両端部を平面視で共通電極１４が露出するようにスリットと平行に切り欠いた切り欠き
部２０Ｄ'を形成したため、この切り欠き部２０Ｄ'の形成部分においても、画素電極２１
と共通電極１４の露出部との間に電界が発生して液晶分子の配向が規制されるので、フリ
ンジ効果を発揮させることがでるようになる。
【００６１】
したがって、従来は表示領域として使用せずにカラーフィルタ基板に設けたブラックマ
トリクスで遮光した部分をも表示領域として使用できるようになるため、カラーフィルタ
基板に設けるブラックマトリクスのサイズを小さくでき、表示開口率が大きく、明るい表
示のＦＦＳモードの液晶表示パネルが得られるようになる。
【００６２】
更に、実施例４のＦＦＳモードの液晶表示パネル１０Ｄにおいては、各画素の配置を行
毎に互い違いとなるようにデルタ配置としたため、信号線１７は走査線１２に対して直交
する方向にクランク状に配置されることとなるため、この信号線１７に対向する部分に設
けられるカラーフィルタ基板のブラックマトリクスは直線状とならないため、ブラックマ
トリクスが目立たたず、画像表示に適したＦＦＳモードの液晶表示パネル１０Ｄが得られ
る。
【００６３】
なお、実施例４のＦＦＳモードの液晶表示パネル１０Ｄにおいては、各画素に設けるス
リット２０Ｄの形状を実施例３に係るＦＦＳモードの液晶表示パネル１０Ｃで採用された
「く」字状とすることによってデュアルドメイン化するようにしてもよい。このような構
成を採用すると、それぞれの画素毎にコモン配線１３に対して垂直方向に視角対称性が付
加されるから、表示画質が高画質なＦＦＳモードの液晶表示パネルが得られる。
【００６４】
また、上記の実施例１〜４では、各画素に設けるスリットを走査線と同じ方向に延びる
ものとしたＦＦＳモードの液晶表示パネル１０Ａ〜１０Ｄの例を示したが、これに限らず
、各画素に設けるスリットを信号線と同じ方向に延びるようにしてもよい。この場合、ス
リットと平行に切り欠いた切り欠き部は信号線に沿った部分に形成されることになる。更
に、上記実施例１〜４では、各画素電極に設けるスリットを全ての画素で同じパターンに
設けているものとして説明したが、奇数行と偶数行とでそれぞれ互いに反対方向に傾いた
パターンとなるようにしてもよい。このような構成を採用すると、信号線と交差する方向
から見た場合の視角依存性が減少するので、表示画質が良好なＦＦＳモードの液晶表示パ
ネルが得られる。
【図面の簡単な説明】
【００６５】
【図１】実施例１のＦＦＳモードの液晶表示パネルのカラーフィルタ基板及び配向膜を透視して表した１画素分の概略平面図である。
【図２】図１のＡ−Ａ線に沿った断面図である。
【図３】実施例２のＦＦＳモードの液晶表示パネルのカラーフィルタ基板及び配向膜を透視して表した１画素分の概略平面図である。
【図４】実施例３のＦＦＳモードの液晶表示パネルのカラーフィルタ基板及び配向膜を透視して表した１画素分の概略平面図である。
【図５】実施例４のＦＦＳモードの液晶表示パネルのカラーフィルタ基板及び配向膜を透視して表した１画素分の概略平面図である。
【図６】ＩＰＳモードの液晶表示パネルの１画素分の模式平面図である。
【図７】図６のＢ−Ｂ線に沿った断面図である。
【図８】ＦＦＳモードの液晶表示パネルの１画素分の模式平面図である。
【図９】図８のＣ−Ｃ線に沿った断面図である。
【図１０】従来例のＦＦＳモードの液晶表示パネルの模式平面図である。
【図１１】別の従来例のＦＦＳモードの液晶表示パネルの模式平面図である。
【図１２】デュアルドメイン化したＦＦＳモードの液晶表示パネルの模式平面図である。
【図１３】デルタ配置のＦＦＳモードの液晶表示パネルの模式平面図である。
【符号の説明】
【００６６】
１０Ａ〜１０Ｄ  ＦＦＳモードの液晶表示パネル
１１    透明基板
１２    走査線
１３    コモン配線
１４    共通電極
１５    ゲート絶縁膜
１６    半導体層
１７    信号線
１８    絶縁膜
１９  コンタクトホール
２０、２０Ａ〜２０Ｄ    スリット
２０Ａ'〜２０Ｄ'    切り欠き部
２１    画素電極
２４    配向膜
【図１】
2008065212.tif 000003
【図２】
2008065212.tif 000004
【図３】
2008065212.tif 000005
【図４】
2008065212.tif 000006
【図５】
2008065212.tif 000007
【図６】
2008065212.tif 000008
【図７】
2008065212.tif 000009
【図８】
2008065212.tif 000010
【図９】
2008065212.tif 000011
【図１０】
2008065212.tif 000012
【図１１】
2008065212.tif 000013
【図１２】
2008065212.tif 000014
【図１３】
2008065212.tif 000015